(57)【要約】   本発明は、携帯端末機におけるバッテリを交換する装置及び方法に関する。本発明は、主バッテリと、補助バッテリと、バッテリカバーの除去を感知するカバー除去感知センサ部と、上記バッテリカバー除去に応答して、電源供給源を主バッテリから補助バッテリに転換する制御部と、を含み、上記補助バッテリは、上記制御部の制御下で、上記携帯端末機の一部構成部に電源を供給することを特徴とする。
2014519790.tif 000002
【特許請求の範囲】
【請求項１】
携帯端末機におけるバッテリを交換する装置であって、
主バッテリと、
補助バッテリと、
バッテリカバーの除去を感知するカバー除去感知センサ部と、
前記バッテリカバーの除去に応答して、電源供給源を主バッテリから補助バッテリに転換する制御部と、を含み、
前記補助バッテリは、前記制御部の制御下で、前記携帯端末機の一部構成部に電源を供給することを特徴とするバッテリ交換装置。
【請求項２】
前記制御部は、前記バッテリカバー除去に応答して、前記携帯端末機を現在動作モードからスリープモードに変更することを特徴とする請求項１に記載のバッテリ交換装置。
【請求項３】
前記制御部は、前記主バッテリが予め定められた時間内に交換されたかを確認し、前記予め定められた時間は、主バッテリを交換するための充分の時間であることを特徴とする請求項１に記載のバッテリ交換装置。
【請求項４】
前記制御部は、前記主バッテリが交換されたら、電源供給源を前記主バッテリに転換し、前記携帯端末機をスリープモードからアクティブモードに転換することを特徴とする請求項３に記載のバッテリ交換装置。
【請求項５】
前記制御部は、前記補助バッテリに転換した後に、ユーザに前記バッテリの交換前に実行していたサービスを継続して提供することを特徴とする請求項１に記載のバッテリ交換装置。
【請求項６】
前記サービスは、通話サービス、音楽再生サービス、動映像再生サービス、通信サービス及びゲームサービスのうち少なくともいずれか一つであることを特徴とする請求項５に記載のバッテリ交換装置。
【請求項７】
前記カバー除去感知センサ部は、前記バッテリカバーの除去が感知されると、カバー除去通知信号を生成することを特徴とする請求項１に記載のバッテリ交換装置。
【請求項８】
前記制御部は、通話サービスの中に前記カバー除去通知信号が受信されると、通話モードから待機モードへの前記携帯端末機の転換を要請する通話待機モード転換要請を基地局に送信することを特徴とする請求項７に記載のバッテリ交換装置。
【請求項９】
前記携帯端末機がスリープモードからアクティブモードに変更されると、前記制御部は、前記携帯端末機の待機モードから前記通話モードへの転換を要請する通話モード転換要請を前記基地局に送信することを特徴とする請求項８に記載のバッテリ交換装置。
【請求項１０】
前記制御部は、相手方携帯端末機と通信し、前記携帯端末機の前記通話サービスを再遂行することを特徴とする請求項９に記載のバッテリ交換装置。
【請求項１１】
携帯端末機におけるバッテリを交換する方法であって、
バッテリカバーの除去を感知するステップと、
前記バッテリカバーの除去に応答して、電源供給源を主バッテリから補助バッテリに転換するステップと、を含み、
前記補助バッテリは、制御部の制御下で、前記携帯端末機の一部構成部に電源を供給することを特徴とするバッテリ交換方法。
【請求項１２】
前記電源供給源を主バッテリから補助バッテリに転換するステップは、前記バッテリカバー除去に応答して、前記携帯端末機を現在動作モードからスリープモードに変更するステップをさらに含むことを特徴とする請求項１１に記載のバッテリ交換方法。
【請求項１３】
前記電源供給源を主バッテリから補助バッテリに転換するステップは、
前記主バッテリが予め定められた時間内に交換されたかを確認するステップをさらに含み、
前記予め定められた時間は、主バッテリを交換するための充分の時間であることを特徴とする請求項１１に記載のバッテリ交換方法。
【請求項１４】
前記電源供給源を主バッテリから補助バッテリに転換するステップは、
前記主バッテリが交換されたら、電源供給源を前記主バッテリに転換するステップと、
前記携帯端末機をスリープモードからアクティブモードに転換するステップと、をさらに含むことを特徴とする請求項１３に記載のバッテリ交換方法。
【請求項１５】
前記補助バッテリに転換した後に、ユーザに前記バッテリの交換前に実行していたサービスを継続して提供するステップをさらに含むことを特徴とする請求項１１に記載のバッテリ交換方法。
【請求項１６】
前記サービスは、通話サービス、音楽再生サービス、動映像再生サービス、通信サービス及びゲームサービスのうち少なくともいずれか一つであることを特徴とする請求項１５に記載のバッテリ交換方法。
【請求項１７】
前記バッテリカバーの除去を感知するステップは、
前記バッテリカバーの除去が感知されると、カバー除去通知信号を生成するステップをさらに含むことを特徴とする請求項１１に記載のバッテリ交換方法。
【請求項１８】
通話サービスの中に前記カバー除去通知信号が受信されると、通話モードから待機モードへの前記携帯端末機の転換を要請する通話待機モード転換要請を基地局に送信するステップと、
前記携帯端末機がスリープモードからアクティブモードに変更されると、前記携帯端末機の待機モードから前記通話モードへの転換を要請する通話モード転換要請を前記基地局に送信するステップと、をさらに含むことを特徴とする請求項１７に記載のバッテリ交換方法。
【請求項１９】
相手方携帯端末機と通信し、前記携帯端末機の前記通話サービスを再遂行するステップをさらに含むことを特徴とする請求項１８に記載のバッテリ交換方法。
【発明の詳細な説明】
【技術分野】
【０００１】
本発明は、携帯端末機に関し、特に、携帯端末機におけるバッテリを交換する装置及び方法に関する。
【背景技術】
【０００２】
スマートフォン(Smart Phone)及びタブレット(Tablet)などの携帯端末機は、多様なアプリケーションを通じてユーザに多くの有用な機能を提供している。したがって、携帯端末機は、音声通話機能と共に多様な形態のサービス及び情報を提供する機器に発展している。
【０００３】
携帯端末機を通じて提供される機能の多様化につれて、ユーザは、携帯端末機をさらに操作するようになるが、これは、バッテリ消耗が増加する原因になる。したがって、携帯端末機のユーザは、このようなバッテリ消耗によってバッテリを頻繁に交換しなければならない。
【０００４】
このバッテリの交換のためには、携帯端末機の電源がユーザによりオフ(OFF)されなければならない。
【０００５】
しかしながら、このような電源オフによって、ユーザに提供されていたすべてのサービスが終了されなければならないという問題点があった。
【発明の概要】
【発明が解決しようとする課題】
【０００６】
したがって、本発明は、電源をオフせずに、携帯端末機のバッテリを交換する方法及び装置を提供する。
【０００７】
本発明は、特定サービスの実行中に、携帯端末機のバッテリを交換しても、上記特定サービスを継続して提供する方法及び装置を提供する。
【課題を解決するための手段】
【０００８】
上記のような目的を達成するために、本発明の一態様によれば、携帯端末機におけるバッテリを交換する装置を提供する。上記装置は、主バッテリと、補助バッテリと、バッテリカバーの除去を感知するカバー除去感知センサ部と、上記バッテリカバー除去に応答して、電源供給源を主バッテリから補助バッテリに転換する制御部と、を含み、上記補助バッテリは、上記制御部の制御下で、上記携帯端末機の一部構成部に電源を供給することを特徴とする。
【０００９】
本発明の他の態様によれば、携帯端末機におけるバッテリを交換する方法を提供する。上記方法は、バッテリカバーの除去を感知するステップと、上記記バッテリカバー除去に応答して、電源供給源を主バッテリから補助バッテリに転換するステップと、を含み、上記補助バッテリは、上記制御部の制御下で、上記携帯端末機の一部構成部に電源を供給することを特徴とする。
【００１０】
本発明によれば、バッテリの交換中に補助バッテリを用いて電源を供給することによって、電源をオフせずに、携帯端末機のバッテリを交換することができる。
【００１１】
本発明によれば、バッテリの交換前に特定サービスに対する履歴を格納することによって、携帯端末機のバッテリを交換しても、上記特定サービスを継続して提供することができる。
【００１２】
本発明による実施形態の上記及び他の態様、特徴、及び利点は、添付の図面と共に述べる以下の詳細な説明から、一層明らかになるはずである。
【図面の簡単な説明】
【００１３】
【図１】本発明の実施形態による携帯端末機のブロック構成図である。
【図２】本発明の第１の実施形態による携帯端末機がバッテリを交換するフローチャートである。
【図３】本発明の第２の実施形態による通信システムにおいて携帯端末機がバッテリを交換するフローチャートである。
【図４】本発明の第２の実施形態による携帯端末機がバッテリを交換するフローチャートである。
【図５】本発明の第２の実施形態による基地局が携帯端末機のバッテリ交換後に通話を再接続するフローチャートである。
【発明を実施するための形態】
【００１４】
以下、本発明の好適な一実施形態を添付図面を参照しつつ詳細に説明する。下記の説明において、同一の構成要素及び部分には、可能な限り同一の符号及び番号を共通使用するものとする。また、明瞭性と簡潔性の観点から、本発明に関連した公知の機能や構成に関する具体的な説明が本発明の要旨を不明瞭にすると判断される場合には、その詳細な説明を省略する。
【００１５】
本発明の実施形態による携帯端末機は、携帯が容易であり移動可能な電子機器として、画像電話機、携帯電話、スマートフォン、ＩＭＴ−２０００（International Mobile Telecommunication 2000）端末機、ＷＣＤＭＡ（登録商標：wideband code division multiple access）端末機、ＵＭＴＳ（Universal Mobile Telecommunication Service）端末機、ＰＤＡ（Personal Digital Assistant）、ＰＭＰ（Portable Multimedia Player）、ＤＭＢ（Digital Multimedia Broadcasting）端末機、電子（Ｅ）ブック端末機、携帯型コンピューター（ラップトップ（laptop）、タブレットなど ）、及びディジタルカメラなどの電子機器であると仮定する。
【００１６】
図１は、本発明の実施形態による携帯端末機のブロック構成図である。
【００１７】
図１を参照すると、携帯端末機は、制御部１０１とメモリ部１０３とカバー除去センサ部１０５と電源管理部１０７と主バッテリ１０９と補助バッテリ１１１とキー入力部１１３とオーディオ処理部１１５と無線送受信部１１７と表示部１１９と、を含む。
【００１８】
無線送受信部１１７は、無線周波数（ＲＦ）部及びモデム（ＭＯＤＥＭ）を含む。ここで、ＲＦ部は、送信される信号の周波数をアップコンバーティング及び増幅するＲＦ送信器と、受信した信号を低雑音増幅して周波数をダウンコンバーティングするＲＦ受信器とを含む。
【００１９】
モデムは、送信される信号を符号化及び変調する送信器及びＲＦ部から受信される信号を復調及び復号化する受信器などを含む。
【００２０】
オーディオ処理部１１５は、コーデックを構成し、このコーデックは、データコーデックとオーディオコーデックとを含む。ここで、データコーデックは、パケットデータなどを処理し、オーディオコーデックは、音声とマルチメディアファイルのようなオーディオ信号を処理する。オーディオ処理部１１５は、モデムから受信されるデジタルオーディオ信号を上記オーディオコーデックを用いてアナログ信号に変換して再生するか又は、マイクロフォン（ＭＩＣ）から発生されるアナログオーディオ信号をオーディオコーデックを用いてデジタルオーディオ信号に変換してモデムに送信する機能を遂行する。ここでは、コーデックがオーディオ処理部１１５に含まれると説明したが、個別に備えられてもよく、又は制御部１０に含まれてもよい。
【００２１】
キー入力部１１３は、 数字及び文字情報の入力のためのキー及び各種機能の設定のための機能キー又はタッチパッドなどを含む。
【００２２】
表示部１１９が静電容量式（capacitive type）又は抵抗膜方式（resistive  type）などのタッチスクリーン方式で具現される場合、キー入力部１１３は、予め定められた最小のキーのみを含み、このため、表示部１１９は、キー入力部１１３のキー入力機能の一部を置き換える。
【００２３】
メモリ部１０３は、プログラムメモリ及びデータメモリを含むことができ、プログラムメモリには、携帯端末機の一般的な動作を制御するためのプログラムが格納される。メモリ部１０３は、ＣＦ（Compact Flash）（登録商標）、ＳＤ（Secure Digital）（登録商標）、Ｍｉｃｒｏ−ＳＤ（Micro Secure Digital）（登録商標）、Ｍｉｎｉ−ＳＤ（Mini Secure Digital）（登録商標）、ｘＤ（Extreme Digital）（登録商標）及びメモリスティック（Memory Stick）（登録商標）などのような外部メモリをさらに含んでもよい。また、メモリ部１０３は、ＨＤＤ（Hard Disk Drive）及びＳＳＤ（Solid State Disk）などのようなディスクを含んでもよい。
【００２４】
特に、メモリ部１０３は、制御部１０１の要請によって携帯端末機が実行中であるサービスに関する履歴（history)を格納し、制御部１０１の要請によって格納されたサービスの履歴を検出する。
【００２５】
ここで、サービスは、携帯端末機で提供可能な多様なサービスを意味し、例えば、携帯端末機で提供する多様なアプリケーション、カメラサービス、ＤＭＢサービス、通話サービス、３Ｇ網またはＷｉ−Ｆｉを用いた通信サービス、動画再生サービス、音源再生サービス、ゲームサービスなどであり得る。
【００２６】
カバー除去センサ部１０５は、主バッテリ１０９を覆っているカバーまたはカバーの底板に設けられ、カバーが除去されたか否かを感知した後、制御部１０１に通知する。すなわち、カバー除去センサ部１０５は、カバーが除去されたことに感知されると、カバーが除去されたことを示すカバー除去通知信号を制御部１０１に出力する。そしてカバー除去センサ部１０５は、スイッチ、光センサまたはタッチセンサなどで構成されることができる。
【００２７】
表示部１１９は、ＬＣＤ（Liquid Crystal Display）、又は有機発光ダイオード（Organic Light Emitting Diode：ＯＬＥＤ）としてパッシブ型マトリックス有機発光ダイオード（Passive Matrix Organic Light Emitting Diode：ＰＭＯＬＥＤ）又はアクティブ型マトリックス有機発光ダイオード（Active Matrix Organic Light Emitting Diode：ＡＭＯＬＥＤ）を含むことができ、携帯端末機で発生する各種表示情報を出力する。表示部１１９は、静電式（又は静電容量式）又は抵抗膜方式などのタッチスクリーンを含むことによりキー入力部１１３とともに携帯端末機を制御する入力部として動作する。
【００２８】
電源管理部１０７は、携帯用充電器(Travel Adapter：ＴＡ)またはＵＳＢケーブルなどを介して入力される電源(例えば、充電電流値）を通じて主バッテリ１０９を充電するように制御し、主バッテリ１０９または補助バッテリ１１１から出力される電源を携帯端末機の各構成部に供給する。電源管理部１０７は、主バッテリ１０９の充電状態及び温度などに関する情報を制御部１０１に出力する。そして電源管理部１０７は、制御部１０１の制御下で、電源供給源を主バッテリ１０９から補助バッテリ１１１に変更するか、補助バッテリ１１１から主バッテリ１０９に変更する。特に、電源管理部１０７は、周期的に主バッテリ１０９の電圧を測定し、測定された電圧を制御部１０１に出力する。また、このような機能を遂行する電源管理部１０７は、制御部１０１に含まれ得る。
【００２９】
主バッテリ１０９は、携帯端末機から脱着可能であり、補助バッテリ１１１よりも大きい容量を有し、携帯端末機の電源がオン(ON)された場合に電源を携帯端末機の各構成部に供給する。補助バッテリ１１１は、約１ｍＡ以下の容量を有し、携帯端末機の電源がオフ(OFF)された場合に、制御部１０１の時間情報をアップデート(update)できる最小限の電源を制御部１０１に供給し、主バッテリ１０９から供給される電源により充電される。特に、補助バッテリ１１１は、携帯端末機の電源がオフされない場合にも、制御部１０１の制御下で、電源を携帯端末機の各構成部に供給する。
【００３０】
制御部１０１は、携帯端末機の全般的な動作を制御し、キー入力部１１３または表示部１１９を介して発生するユーザからの入力に従って携帯端末機の動作の切り替え及び制御を行うことができる。特に、制御部１０１は、カバー除去センサ部１０５からカバー除去通知信号が入力されると、携帯端末機の現在動作モードをスリープモードに変更し、主バッテリ１０９から補助バッテリ１１１への電源供給源の変更を命令するバッテリ変更信号を電源管理部１０７に出力する。ここで、スリープモードは、携帯端末機の電源消費を最小限とするモードであり、制御部１０１は、補助バッテリ１１１から電源を受信して約３０分程度スリープモードを維持できる。
【００３１】
制御部１０１は、電源管理部１０７から周期的に出力される主バッテリ１０９の電圧を受信し、受信された主バッテリ１０９の電圧を用いて主バッテリ１０９が交換されたか否かを確認する。例えば、受信された主バッテリ１０９の電圧が０Ｖから３Ｖ以上に上昇した場合、制御部１０１は、主バッテリ１０９が交換されたと決定できる。これとは異なり、予め定められた時間の間に受信された主バッテリ１０９の電圧が０Ｖを維持すると、制御部１０１は、主バッテリ１０９が交換されなかったと決定する。ここで、予め定められた時間は、ユーザが主バッテリを交換するための充分な時間であり、１０秒乃至３０秒の範囲内で指定され得る。
【００３２】
制御部１０１は、主バッテリ１０９が交換されたと決定されると、補助バッテリ１１１から主バッテリ１０９への電源供給源の変更を命令するバッテリ変更信号を電源管理部１０７に出力する。制御部１０１は、携帯端末機の現在動作モードであるスリープモードをアクティブモードに変更する。
【００３３】
また、制御部１０１は、カバー除去通知信号が入力されると、現在実行中であるサービスに対するサービス履歴をメモリ部１０３に格納し、主バッテリ１０９の交換が完了した後に、格納されたサービス履歴を用いて主バッテリ１０９の交換前に実行していたサービスをユーザにさらに提供できる。
【００３４】
制御部１０１がこのような動作を遂行することによって、ユーザにより携帯端末機の電源がオフされなくても、主バッテリ１０９を交換することができる。主バッテリ１０９が交換されても、制御部１０１は、主バッテリ１０９の交換前に実行していたサービスをユーザに継続して提供できる。
【００３５】
一方、ブルートゥース（登録商標）モジュール、カメラモジュール、Ｗｉ−Ｆｉモジュール、加速度センサ、近接センサ、地磁気センサ又はディジタルメディアブロードキャスティング（ＤＭＢ）受信器などのように携帯端末機に含まれ得る装置を図１には示していないが、これらの装置も本発明の実施形態による携帯端末機に含めることにより対応する機能を提供することができることは、当業者には自明なことである。
【００３６】
例えば、加速度センサは、加速度、振動、衝撃などの動的な力を測定して携帯端末機の運動状態を感知し、これを通じて携帯端末機の表示部の表示方向を感知するために使用されることができる。また、近接センサは、携帯端末機に対するユーザの身体一部の近接を感知し、タッチ表示画面機能を提供する携帯端末機の誤動作を防止するための用途などで使われることができる。また、ジャイロスコープは、回転する携帯端末機の力学的な動きを観察し、加速度センサと連動され携帯端末機の６軸、すなわち、上下、左右、前後方、ｘ軸、ｙ軸及びｚ軸の回転モーションを感知するために使用されることができる。また、ユーザが映像(動画または静止映像）を撮影できるカメラモジュールが含まれ得るが、映像の撮影時、ＧＰＳモジュールを用いて獲得される位置情報が撮影された映像内に挿入されることができ、これを通じてユーザが写真撮影を遂行した位置を確認することができる。
【００３７】
図２は、本発明の第１の実施形態による携帯端末機がバッテリを交換するフローチャートである。
【００３８】
図２を参照すると、ステップ２０１で、制御部１０１は、ユーザにより選択されるか、予め定められた時間に実行されるように設定されたサービスを実行した後、ステップ２０３に進行する。ここで、サービスは、携帯端末機で提供できる多様なサービスを意味し、例えば、携帯端末機で提供する各種のアプリケーション、カメラサービス、ＤＭＢサービス、通話サービス、３Ｇ網またはＷｉ−Ｆｉを用いた通信サービス、動画再生サービスと音源再生サービスとゲームサービスなどであり得る。
【００３９】
ステップ２０３で、制御部１０１は、携帯端末機の電源をオフせずに、主バッテリ１０９を覆っているカバーが除去されたか否かを確認する。カバーが除去された場合、制御部１０１は、ステップ２０５に進行し、そうでなければ、ステップ２０３を反復遂行する。この時、制御部１０１は、カバー除去センサ部１０５からカバー除去通知信号が入力されると、カバーが除去されたと決定し、カバー除去通知信号が入力されないと、カバーが除去されなかったと決定する。
【００４０】
ステップ２０５において、制御部１０１は、現在実行中であるサービスに対する履歴をメモリ部１０３に格納し、携帯端末機の現在動作モードをスリープモードに変更し、電源供給源を主バッテリ１０９から補助バッテリ１１１に転換した後、ステップ２０７に進行する。ここで、スリープモードは、携帯端末機の電源消費を最小限とするモードをいう。
【００４１】
ステップ２０７で、制御部１０１は、主バッテリ１０９が交換されたか否かを確認する。もし、主バッテリ１０９が交換されたと決定されると、制御部１０１は、ステップ２０９に進行する。これとは異なり、予め定められた時間の間に主バッテリ１０９が交換されなかったと決定されると、制御部１０１は、ステップ２１３に進行する。この時、制御部１０１は、電源管理部１０７から周期的に出力される主バッテリ１０９の電圧を用いて主バッテリ１０９が交換されたか否かを確認することができる。ここで、予め定められた時間は、ユーザが主バッテリを交換するための充分の時間であり、１０秒乃至３０秒の範囲内で指定され得る。
【００４２】
例えば、受信された主バッテリ１０９の電圧が０Ｖから３Ｖ以上に上昇した場合、制御部１０１は、主バッテリ１０９が交換されたと決定する。これとは異なり、予め定められた時間の間に受信された主バッテリ１０９の電圧が０Ｖを維持すると、制御部１０１は、主バッテリ１０９が交換されなかったと決定する。
【００４３】
ステップ２１３において、制御部１０１は、携帯端末機の電源をオフする。
【００４４】
これとは異なり、ステップ２０９に進行する場合、制御部１０１は、電源供給源を補助バッテリ１１１から主バッテリ１０９に転換し、携帯端末機の現在動作モードであるスリープモードをアクティブモードに変更する。
【００４５】
ステップ２０９の後に、ステップ２１１で、制御部１０１は、メモリ部１０３から格納されたサービス履歴を検出し、検出されたサービス履歴を用いて主バッテリ１０９の交換前に実行していたサービスを再実行する。この時、サービス履歴は、サービス名とサービスプロセスを含む。例えば、インターネットアプリケーションを用いたウェブサーフィンの間に除去通知信号が受信されると、制御部１０１は、インターネットアプリケーションの名前とウェブサーフィンに関するウェブサイトアドレスを含むサービス履歴を格納する。
【００４６】
このように、制御部１０１は、ステップ２０１乃至ステップ２１３を遂行することによって、ユーザにより携帯端末機の電源がオフされなくても、主バッテリ１０９を交換することができる。そして、主バッテリ１０９が交換されても、制御部１０１は、主バッテリ１０９の交換前に実行していたサービスをユーザに継続して提供できる。
【００４７】
図３は、本発明の第２の実施形態による通信システムにおいて携帯端末機がバッテリを交換するフローチャートである。
【００４８】
図３を参照して、第１の携帯端末機３０１が基地局３０３を通じて第２の携帯端末機３０５と通話サービスの遂行中に、電源をオフせずに主バッテリ１０９を交換する過程を説明する。このような過程を説明する前に、第１の携帯端末機３０１は、図１に示した携帯端末機と同一に構成されていると仮定する。
【００４９】
ステップ３０７で、第１の携帯端末機３０１は、基地局３０３を通じて第２の携帯端末機３０５と通話接続を遂行した後、ステップ３０９に進行する。ステップ３０９で、第１の携帯端末機３０１は、主バッテリ１０９を覆っているカバーが除去されたか否かを確認する。もし、カバーが除去された場合、第１の携帯端末機３０１は、ステップ３１１に進行し、そうでなければ、ステップ３０９を反復的に遂行する。
【００５０】
ステップ３１１において、第１の携帯端末機３０１は、第１の携帯端末機３０１と第２の携帯端末機３０５との間の通話モードを通話待機モードへの転換を要請する通話待機モード転換要請メッセージを基地局３０３に送信した後、ステップ３１３に進行する。ここで、通話モードは、第１の携帯端末機３０１と第２の携帯端末機３０５との間に通話を遂行するモードであり、通話待機モードは、第１の携帯端末機３０１と第２の携帯端末機３０５のうちでいずれか一つが相手方との通話のために待機するモードである。
【００５１】
ステップ３１３で、基地局３０３は、第１の携帯端末機３０１との呼(call)接続を解除した後、ステップ３１５に進行する。ステップ３１５で、基地局３０３は、第１の携帯端末機３０１と呼接続が解除された第２の携帯端末機３０５の呼接続を維持した後、ステップ３１７に進行する。
【００５２】
ステップ３１７で、第１の携帯端末機３０１は、第１の携帯端末機３０１の現在動作モードをスリープモードに変更し、電源供給源を主バッテリ１０９から補助バッテリ１１１に転換した後、ステップ３１９に進行する。ここで、スリープモードは、携帯端末機の電源消費を最小限とするモードである。
【００５３】
ステップ３１９で、第１の携帯端末機３０１は、主バッテリ１０９が交換されたか否かを確認する。もし、主バッテリ１０９が交換されたと決定されると、第１の携帯端末機３０１は、ステップ３２１に進行する。これとは異なり、予め定められた時間の間に主バッテリ１０９が交換されなかったと決定されると、第１の携帯端末機３０１は、ステップ３２７に進行する。ここで、予め定められた時間は、第１の携帯端末機３０１のユーザが主バッテリを交換するための充分の時間であり、１０秒乃至３０秒の範囲内で指定され得る。
【００５４】
ステップ３２７において、第１の携帯端末機３０１は、第１の携帯端末機３０１の電源をオフする。これとは異なり、ステップ３２１に進行する場合、第１の携帯端末機３０１は、電源供給源を補助バッテリ１１１から主バッテリ１０９に転換し、第１の携帯端末機３０１の現在動作モードであるスリープモードをアクティブモードに変更した後、ステップ３２３に進行する。
【００５５】
ステップ３２３で、第１の携帯端末機３０１は、第１の携帯端末機３０１と第２の携帯端末機３０５との間の通話待機モードを通話モードへの転換を要請する通話モード転換要請メッセージを基地局３０３に送信した後、ステップ３２５に進行する。
【００５６】
ステップ３２５で、基地局３０３は、第１の携帯端末機３０１と第２の携帯端末機３０５との間の呼を再接続することにより、第１の携帯端末機３０１と第２の携帯端末機３０５との間の通話接続を再遂行する。
【００５７】
図４は、本発明の第２の実施形態による携帯端末機がバッテリを交換するフローチャートである。
【００５８】
図４を参照すると、ステップ４０１で、第１の携帯端末機３０１は、基地局３０３を通じて第２の携帯端末機３０５と通話接続を遂行した後、ステップ４０３に進行する。そしてステップ４０３で、第１の携帯端末機３０１は、主バッテリ１０９を覆っているカバーが除去されたか否かを確認する。もし、カバーが除去された場合、第１の携帯端末機３０１は、ステップ４０５に進行し、そうでなければ、ステップ４０３を反復的に遂行する。
【００５９】
ステップ４０５において、第１の携帯端末機３０１は、第１の携帯端末機３０１と第２の携帯端末機３０５との間の通話モードを通話待機モードへの転換を要請する通話待機モード転換要請メッセージを基地局３０３に送信し、基地局３０３との呼接続を解除した後、ステップ４０７に進行する。
【００６０】
ステップ４０７で、第１の携帯端末機３０１は、第１の携帯端末機３０１の現在動作モードをスリープモードに変更し、電源供給源を主バッテリ１０９から補助バッテリ１１１に転換した後、ステップ４０９に進行する。
【００６１】
ステップ４０９で、第１の携帯端末機３０１は、主バッテリ１０９が交換されたか否かを確認する。もし、主バッテリ１０９が交換されたと決定されると、第１の携帯端末機３０１は、ステップ４１１に進行する。これとは異なり、予め定められた時間の間に主バッテリ１０９が交換されなかったと決定されると、第１の携帯端末機３０１は、ステップ４１５に進行する。
【００６２】
ステップ４１５において、第１の携帯端末機３０１は、第１の携帯端末機３０１の電源をオフする。これとは異なり、ステップ４１１に進行する場合、第１の携帯端末機３０１は、電源供給源を補助バッテリ１１１から主バッテリ１０９に転換し、第１の携帯端末機３０１の現在動作モードであるスリープモードをアクティブモードに変更した後、ステップ４１３に進行する。
【００６３】
ステップ４１３で、第１の携帯端末機３０１は、第１の携帯端末機３０１と第２の携帯端末機３０５との間の通話待機モードを通話モードへの転換を要請する通話モード転換要請メッセージを基地局３０３に送信する。そして第１の携帯端末機３０１は、第２の携帯端末機３０５と通話接続を再遂行する。
【００６４】
このように、第１の携帯端末機３０１は、ステップ４０１乃至ステップ４１５を遂行することによって、第２の携帯端末機３０５との通話中に電源をオフせずに主バッテリ１０９を交換することができ、主バッテリ１０９の交換が完了するやいなや第２の携帯端末機３０５と通話接続することによって、通話サービスを終了せずに主バッテリ１０９を交換することができる。
【００６５】
図５は、本発明の第２の実施形態による基地局が携帯端末機のバッテリ交換後に通話を再接続するフローチャートである。
【００６６】
図５を参照すると、ステップ５０１で、基地局３０３は、第１の携帯端末機３０１と第２の携帯端末機３０５との間の通話接続を遂行した後、ステップ５０３に進行する。ステップ５０３で、基地局３０３は、第１の携帯端末機３０１から通話待機モード転換要請メッセージが受信されたか否かを確認する。通話待機モード転換要請メッセージが受信された場合、基地局３０３は、ステップ５０５に進行し、そうでなければ、ステップ５０３を反復的に遂行する。
【００６７】
ステップ５０５において、基地局３０３は、第１の携帯端末機３０１との呼(call)接続を解除し、第１の携帯端末機３０１と呼接続が解除された第２の携帯端末機３０５と呼接続を維持した後、ステップ５０７に進行する。
【００６８】
ステップ５０７で、基地局３０３は、第１の携帯端末機３０１から通話モード転換要請メッセージが受信されたか否かを確認する。通話モード転換要請メッセージが受信された場合、基地局３０３は、ステップ５０９に進行し、そうでなければ、ステップ５０７を反復的に遂行する。
【００６９】
ステップ５０９に進行する場合、基地局３０３は、第１の携帯端末機３０１と第２の携帯端末機３０５との間の呼を再接続することにより、第１の携帯端末機３０１と第２の携帯端末機３０５との間の通話接続を再遂行する。
【００７０】
追加的に、基地局３０３は、予め定められた時間の間に第２の携帯端末機３０５と呼接続を維持する。予め定められた時間の間に通話モード転換要請メッセージが受信されないと、第２の携帯端末機３０５との呼接続を解除する。ここで、予め定められた時間は、第１の携帯端末機３０１のユーザが主バッテリを交換するための充分の時間であり、１０秒乃至３０秒の範囲内で指定され得る。
【００７１】
このように、基地局３０３は、ステップ５０１乃至ステップ５０９を遂行することによって、第１の携帯端末機３０１が主バッテリ１０９を交換しても、第１の携帯端末機３０１と第２の携帯端末機３０５との間の通話サービスを続けることができる。
【００７２】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【００７３】
例えば、本発明では、通話サービスの中に特定携帯端末機のバッテリを交換しても通話サービスを継続維持する方案を説明しているが、通話サービスのみに限定されない。特定携帯端末機がＤＭＢサービス、Ｗｉ−Ｆｉサービス、ゲームサービス、カメラ機能、音楽再生機能、動映像再生機能などの遂行中にも電源をオフせずに主バッテリを交換することができる。
【符号の説明】
【００７４】
１０１:制御部
１０３:メモリ部
１０５:カバー除去センサ部
１０７:電源管理部
１０９:主バッテリ
１１１:補助バッテリ
１１３:キー入力部
１１５:オーディオ処理部
１１７:無線送受信部
１１９：表示部３０１：第１の携帯端末機
３０３：基地局
３０５：第２の携帯端末機
【図１】
2014519790.tif 000003
【図２】
2014519790.tif 000004
【図３】
2014519790.tif 000005
【図４】
2014519790.tif 000006
【図５】
2014519790.tif 000007
【国際調査報告】
2014519790.tif 000008
2014519790.tif 000009